(57)【要約】【課題】踵の後側が圧接されず、窮屈感を感じさせないようにしたスケート靴を提供する。【解決手段】スケート靴１は、滑走部２と、滑走部２の上部に設けられた靴本体１０と、靴本体１０内に装着されるインナーブーツ５０とからなる。靴本体１０は、後部にカフ部３１が回動自在に設けられている。インナーブーツ５０は、足の裏に踏まれる底部保護板５２，７２と、踵の後側を保護する下部保護板７３と、アキレス腱部の後側を保護すると共にカフ部３１に当接する上部保護板７５とを備えている。【選択図】　　　　図１
2004081619.tif 000002
【特許請求の範囲】
【請求項１】
滑走部と、滑走部の上部に設けられた靴本体と、靴本体内に装着されるインナーブーツとからなり、
靴本体は、後部にカフ部が回動自在に設けられ、
インナーブーツは、足の裏に踏まれる底部保護板と、踵の後側を保護する下部保護板と、アキレス腱部の後側を保護すると共にカフ部に当接する上部保護板とを備えていることを特徴とするスケート靴。
【請求項２】
滑走部と、滑走部の上部に設けられた靴本体と、靴本体内に装着されるインナーブーツとからなり、
靴本体は、前靴体と後靴体に分割され、前靴体と後靴体のどちらか一方が滑走部に固定され、他方が滑走部に対して前後方向に摺動自在且つ固定手段によって所定位置で固定されるようになっており、後靴体にカフ部が回動自在に設けられ、　インナーブーツは、前インナー部と後インナー部に分割され、
前インナー部は、前靴体に設けられ、
後インナー部は、後靴体に設けられ、足の踵に踏まれる踵部保護板と、踵の後側を保護する下部保護板と、アキレス腱部の後側を保護すると共にカフ部に当接する上部保護板とを備えていることを特徴とするスケート靴。
【請求項３】
前インナー部は、足の裏に踏まれる底部保護板と、底部保護板の前部に設けられた爪先を覆う爪先保護板と、底部保護板の左部に設けられた足の左側面を保護する左側面保護板と、底部保護板の右部に設けられた足の右側面を保護する右側面保護板と、左側面保護板と右側面保護板の間の隙間に配置され、前部が爪先保護板に設けられた足の甲を保護する甲部保護板とからなり、左側面保護板と右側面保護板に靴紐を通す通し部が形成され、前靴体の一側にも靴紐を通す通し部が形成され、靴紐を前靴体の通し部と左側面保護板及び右側面保護板の通し部に通すことによって、前靴体に固定されることを特徴とする請求項２記載のスケート靴。
【請求項４】
後インナー部は、上部保護板に取付手段が設けられ、取付手段をカフ部に取り付けることによって、後靴体に固定されることを特徴とする請求項２又は３記載のスケート靴。
【請求項５】
カフ部が透過性を有する素材によって形成され、インナーブーツの色彩、模様等の装飾が外から視認できるようになっていることを特徴とする請求項１乃至４のいずれか１項に記載のスケート靴。
【発明の詳細な説明】
【０００１】
【発明の属する技術分野】
本願発明は、サイズを調節することができるスケート靴に関するものである。
【０００２】
【従来の技術】
従来、サイズを調節することができるスケート靴は、特表平１１−５０７２５４号公報に開示されているようなものが存在した。このスケート靴は、ローラ部と、ローラ部の上部に設けられた靴本体と、靴本体内に装着されるインナーブーツとからなる。靴本体は、前靴体と後靴体に分割され、後靴体がローラ部に固定され、前靴体がローラ部に対して前後方向に摺動自在且つネジによって所定位置で固定されるようになっている。後靴体には、カフ部が回動自在に設けられている。インナーブーツは、使用者の足と靴本体との間に設けられ、利用者の足がスケート靴に直接接触しないようにして、使用者の足を保護している。インナーブーツは、内部に柔軟素材が縫い込まれた布によって形成されている。
【０００３】
【発明が解決しようとする課題】
従来のスケート靴のインナーブーツは、踵に踏まれる底部保護板と、踵とアキレス腱部の後側を保護する後部保護板を有し、一方の足を踏み出す時、他方の足に装着しているスケート靴のカフ部が前方に回動し、このカフ部の回動によって当該後部保護板が底部保護板との接続部を中心として傾動する。係る場合、後部保護板が踵の後側を圧接し、窮屈感を感じる場合があるという問題点がある。また、従来のインナーブーツは、長靴状に一体形成され、利用者の足に合わせて大きさを調節することができないという問題点があった。
【０００４】
また、従来のインナーブーツは、靴本体のバックルによって締め付けられるようになっており、足のサイズに合わせて、締め付けを調節することができないという問題点があった。さらに又スケート靴のインナーブーツを形成する布は、色彩のはっきりした、装飾性の高い柄のものが使用されるが、靴本体が単色の何等特徴のない不透過性素材によって形成されるため、興趣に欠けるという問題点もあった。
【０００５】
本願発明は、上記問題点に鑑み発明されたものであって、踵とアキレス腱部の後側を保護する保護板を上部保護板と下部保護板に分割し、上部保護板をカフ部の回動に伴って傾動できるようにし、下部保護板をカフ部の回動にあまり影響を受けないようにして、踵の後側が圧接されず、窮屈感を感じさせないようにしたスケート靴を提供することを第１の目的とする。
【０００６】
また、利用者の足のサイズに合わせて大きさを調節することができるインナーブーツを備えたスケート靴を提供することを第２の目的とする。さらに、利用者の足の大きさに合わせて隙間なく締め付けることができるインナーブーツを備えたスケート靴を提供することを第３の目的とする。さらにまた、インナーブーツの布の色彩を靴本体の外側から見えるようにして、装飾性を高めた、興趣あるスケート靴を提供するを第４の目的とする。
【０００７】
【課題を解決するための手段】
本願請求項１記載のスケート靴は、上記第１の目的を達成するため、滑走部と、滑走部の上部に設けられた靴本体と、靴本体内に装着されるインナーブーツとからなり、靴本体は、後部にカフ部が回動自在に設けられ、インナーブーツは、足の裏に踏まれる底部保護板と、踵の後側を保護する下部保護板と、アキレス腱部の後側を保護すると共にカフ部に当接する上部保護板とを備えている。
【０００８】
本願請求項２記載のスケート靴は、上記第１、２の目的を達成するため、滑走部と、滑走部の上部に設けられた靴本体と、靴本体内に装着されるインナーブーツとからなり、靴本体は、前靴体と後靴体に分割され、前靴体と後靴体のどちらか一方が滑走部に固定され、他方が滑走部に対して前後方向に摺動自在且つ固定手段によって所定位置で固定されるようになっており、後靴体にカフ部が回動自在に設けられ、インナーブーツは、前インナー部と後インナー部に分割され、前インナー部は、前靴体に設けられ、後インナー部は、後靴体に設けられ、足の踵に踏まれる踵部保護板と、踵の後側を保護する下部保護板と、アキレス腱部の後側を保護すると共にカフ部に当接する上部保護板とを備えている。
【０００９】
本願請求項３記載のスケート靴は、上記第３の目的を達成するため、前インナー部は、足の裏に踏まれる底部保護板と、底部保護板の前部に設けられた爪先を覆う爪先保護板と、底部保護板の左部に設けられた足の左側面を保護する左側面保護板と、底部保護板の右部に設けられた足の右側面を保護する右側面保護板と、左側面保護板と右側面保護板の間の隙間に配置され、前部が爪先保護板に設けられた足の甲を保護する甲部保護板とからなり、左側面保護板と右側面保護板に靴紐を通す通し部が形成され、前靴体の一側にも靴紐を通す通し部が形成され、靴紐を前靴体の通し部と左側面保護板及び右側面保護板の通し部に通すことによって、前靴体に固定される。
【００１０】
本願請求項４記載のスケート靴は、上記第３の目的を達成するため、後インナー部は、上部保護板に取付手段が設けられ、取付手段をカフ部に取り付けることによって、後靴体に固定される。
【００１１】
本願請求項５記載のスケート靴は、上記第４の目的を達成するため、カフ部が透過性を有する素材によって形成され、インナーブーツの色彩、模様等の装飾が外から視認できるようになっている。
【００１２】
【発明の実施の形態】
本願発明に係るスケート靴の実施の形態を、図１乃至図７に基づいて説明する。図１は、本願発明に係るスケート靴の一つの実施の形態を示す全体側面図である。図２は、図１のスケート靴のサイズを大きくした状態を示す全体側面図である。図３は、図１のスケート靴の分解斜視図である。図４は、図３におけるスケート靴のインナーブーツの分解斜視図である。図５は、図４の側面図である。図６は、図３におけるスケート靴のインナーブーツの断面側面図である。図７は、図６におけるインナーブーツの使用状態を示す断面側面図である。
【００１３】
スケート靴の全体構成について説明する。スケート靴１は、滑走部２と、滑走部２の上部に設けられた靴本体１０と、靴本体１０内に装着されるインナーブーツ５０とからなる。靴本体１０は、後部にカフ部３１が回動自在に設けられている。インナーブーツ５０は、足の裏に踏まれる底部保護板５２，７２と、踵の後側を保護する下部保護板７３と、アキレス腱部の後側を保護すると共にカフ部３１に当接する上部保護板７５とを備えている。
【００１４】
さらにスケート靴１は、滑走部２と、滑走部２の上部に設けられた靴本体１０と、靴本体１０内に装着されるインナーブーツ５０とからなる。靴本体１０は、前靴体１１と後靴体２１に分割され、前靴体１１と後靴体２１のどちらか一方が滑走部２に固定され、他方が滑走部２に対して前後方向に摺動自在且つ固定手段９によって所定位置で固定されるようになっている。後靴体２１には、カフ部３１が回動自在に設けられている。
【００１５】
インナーブーツ５０は、前インナー部５１と後インナー部７１に分割されている。前インナー部５１は、前靴体１１に設けられ、後インナー部７１は、後靴体２１に設けられる。後インナー部７１は、足の踵に踏まれる踵部保護板７２と、踵の後側を保護する下部保護板７３と、アキレス腱部の後側を保護すると共にカフ部３１に当接する上部保護板７５とを備えている。
【００１６】
前インナー部５１は、足の裏に踏まれる底部保護板５２と、底部保護板５２の前部に設けられた爪先を覆う爪先保護板５３と、底部保護板５２の左部に設けられた足の左側面を保護する左側面保護板５５と、底部保護板５２の右部に設けられた足の右側面を保護する右側面保護板５６と、左側面保護板５５と右側面保護板５６の間の隙間に配置され、前部が爪先保護板５３に設けられた足の甲を保護する甲部保護板５７とからなる。
【００１７】
左側面保護板５５と右側面保護板５６に靴紐９２を通す通し部６２，６３が形成され、前靴体１１の一側にも靴紐９２を通す通し部１３ｂ、１３ｃが形成され、靴紐９２を前靴体１１の通し部１３ｂ、１３ｃと左側面保護板５５及び右側面保護板５６の通し部６２，６３に通すことによって、前靴体１１に固定される。
【００１８】
後インナー部７１は、上部保護板７５に取付手段８９が設けられ、取付手段８９をカフ部３１に取り付けることによって、後靴体２１に固定される。カフ部３１は、透過性を有する素材によって形成され、インナーブーツ５０の色彩、模様等の装飾が外から視認できるようになっている。
【００１９】
スケート靴についてさらに詳細に説明する。スケート靴１は、滑走部２と、滑走部２の上部に設けられた靴本体１０と、靴本体１０内に装着されるインナーブーツ５０とからなる。滑走部２は、複数のローラ３・・と、この複数のローラ３・・を下部において回動自在に取り付けた取付枠５とからなる。取付枠５は、上部の前方に前部取付柱６が形成され、上部の後方に後部取付柱７が一体的に形成されている。前部取付柱６には、図示しない案内部と、固定ネジ９が設けられている。
【００２０】
靴本体１０は、前靴体１１と後靴体２１に分割されている。前靴体１１は、硬質合成樹脂によって一体成形され、前部底板１２と、爪先カバー板１３と、左側面板１５と、右側面板１６と、左アーム板１７と右アーム板１８とからなる。前部底板１２は、足の爪先側裏面が載せられるようになっている。爪先カバー板１３は、爪先全体と足の甲の一部を覆うようになっており、前部底板１２の前部周縁に設けられている。
【００２１】
左側面板１５は、足の前部左側面側を覆うようになっており、前部底板１２の左縁と爪先カバー板１３の左下部に連設されている。右側面板１６は、足の前部右側面側を覆うようになっており、前部底板１２の右縁と爪先カバー板１３の右下部に連設されている。左アーム板１７は、後方に向かって伸びるように設けられ、後端が半円状に形成され、前端が左側面板１５の後端に連接されている。右アーム板１８は、後方に向かって伸びるように設けられ、後端が半円状に形成され、前端が右側面板１６の後端に連接されている。
【００２２】
爪先カバー板１３の上縁１３ａ近傍には、一対の靴紐通し孔１３ｂ，１３ｃが形成されている。左アーム板１７の後部には、ガイド長孔１７ａが前後方向に伸びるように形成されている。右アーム板１８の後部には、ガイド長孔１８ａが前後方向に伸びるように形成されている。前部底板１２の裏面には、前後方向に伸びる案内板１９が設けられており、案内板１９には前後方向に伸びる案内長孔１９ａが形成されている。
【００２３】
後靴体２１は、前靴体１１と同様に、硬質合成樹脂によって一体成形され、後部底板２２と、略Ｕ字状の後面板２３とからなる。後部底板２２は、踵の裏面が載せられるようになっている。後面板２３は、踵の周囲を覆うようになっており、後部底板２２の後部周縁に設けられている。後部底板２２の前部は、前記前靴体１１の前部底板１２の上に重ねられるようになっている。
【００２４】
カフ部３１は、透過性を有する合成樹脂素材によって略Ｕ字状に形成され、後部に略水平に伸びる取付孔３２が形成されている。カフ部３１は、左壁３３の前方下部が前記後面板２３の左壁２５の前方上部に左支軸３４によって回動自在に連結され、右壁３５の前方下部が前記後面板２３の右壁２６の前方上部に右支軸３６によって回動自在に連結されている。
【００２５】
左支軸３４は、前記前靴体１１の左アーム板１７のガイド長孔１７ａを挿通して突出し、この突出部に矩形状の連結リング４１が取り付けられたベルト４２が取り付けられている。右支軸３６は、前記前靴体１１の右アーム板１８のガイド長孔１８ａを挿通して突出し、この突出部に連結ベルト４３が取り付けられている。さらにカフ部３１は、左壁３３にバックル３７が取り付けられ、右壁３５に前記バックル３７によって挟持される締め付けベルト３８が取り付けられている。
【００２６】
靴本体１０の後靴体２１は、滑走部２の取付枠５の後部取付柱７にネジ等により固定して取り付けられている。前靴体１１は、案内板１９が滑走部２の取付枠５の前部取付柱６の案内部に案内されて前後方向に摺動できるようになっており、固定ネジ９が案内長孔１９ａに挿通され、固定ネジ９を締め付けることによって、その位置で滑走部２に固定される。
【００２７】
インナーブーツ５０は、前インナー部５１と後インナー部７１に分割されている。前インナー部５１は、底部保護板５２と、底部保護板５２の前部に設けられた爪先保護板５３と、底部保護板５２の左部に設けられた左側面保護板５５と、底部保護板５２の右部に設けられた右側面保護板５６と、左側面保護板５５と右側面保護板５６の間の隙間に配置され、前部が爪先保護板５３に設けられた甲部保護板５７とからなる。
【００２８】
底部保護板５２は、足裏の裏面略前半分を受けるので、厚手の生地、皮革等によって形成されている。爪先保護板５３は、スポンジ等の柔軟性素材を内装した布によって湾曲して形成され、爪先全体と足の甲の一部を覆うようになっており、底部保護板５２の前部周縁に縫製されている。爪先保護板５３は、皮革等の強度のある補強素材５９によって補強されており、上部に靴紐９２を通す通し片６０が縫製により取り付けられている。
【００２９】
左側面保護板５５は、スポンジ等の柔軟性素材を内装した布によって略台形状に形成され、足の左側面を保護するようになっており、底部保護板５２の左縁と爪先保護板５３の左部に縫製により連設されている。左側面保護板５５は、上部が皮革等の強度のある補強素材６１によって補強されており、上端縁に靴紐９２を通すループ片６２が縫製により取り付けられている。
【００３０】
右側面保護板５６は、左側面保護板５５と同様に、スポンジ等の柔軟性素材を内装した布によって略台形状に形成され、足の右側面を保護するようになっており、底部保護板５２の右縁と爪先保護板５３の右部に縫製により連設されている。右側面保護板５６は、上部が皮革等の強度のある補強素材６１によって補強されており、上端縁に靴紐を通すループ片６３が縫製により取り付けられている。
【００３１】
左側面保護板５５と右側面保護板５６の下側であって、左側面保護板５５と右側面保護板５６の間の隙間を塞ぐ位置に甲部保護板５７が配置され、甲部保護板５７の前部が爪先保護板５３に縫製により連設されている。甲部保護板５７の上部には、皮革等の強度のある補強素材６７によって補強されている。
【００３２】
後インナー部７１は、踵に踏まれる踵部保護板７２と、踵の後側を保護する下部保護板７３と、アキレス腱部の後側を保護すると共にカフ部に当接する上部保護板７５とからなる。踵部保護板７２は、踵の裏面を受けるので、厚手の生地、皮革等によって形成されている。下部保護板７３は、スポンジ等の柔軟性素材を内装した布によって略Ｕ字状に湾曲させられ、下部が踵部保護板７２の半円状後部に縫製されて取り付けられている。上部保護板７３も、スポンジ等の柔軟性素材を内装した布によって略Ｕ字状に湾曲させられ、下部保護板７３の上部外側に下部が重なるようにして配置され、左端７５ａが左側面保護板７７の上部接続部７９に縫製されて取り付けられ、右端７５ｂが右側面保護板８３の上部接続部８４に縫製されて取り付けられている。
【００３３】
左側面保護板７７は、前記上部接続部７９と下部接続部８０を有し、上部接続部７９と下部接続部８０の間に凹部８１が形成されている。右側面保護板８３は、前記上部接続部８４と下部接続部８５を有し、上部接続部８４と下部接続部８５の間に凹部８６が形成されている。左側面保護板７７の下部接続部８０は、下部保護板７３の左端下部に縫製されて取り付けられている。右側面保護板８３の下部接続部８５は、下部保護板７３の右端下部に縫製されて取り付けられている。上部保護板７５の後面には、取付ベルト８９が縫製等により取り付けられている。
【００３４】
スケート靴１は上記構成を有し、下記のように使用することができる。前インナー部５１の底部保護板５２の上に後インナー部７１の踵部保護板７２を重ねるようにして、前インナー部５１の左側面保護板５５と右側面保護板５６間に、後インナー部７１の左側面保護板７７と右側面保護板８３を収納して、インナーブーツ５０を形成する。中敷き９１を前インナー部５１の底部保護板５２と後インナー部７１の踵部保護板７２に載せる。
【００３５】
上記インナーブーツ５０を、図３に示すように、靴本体１０内に収納する。靴紐９２を前インナー部５１の通し片６０に通し、靴紐９２の両端を前靴体１１の靴紐通し孔１３ｂ、１３ｃに通し、さらに靴紐９２の両端を前インナー部５１のループ片６２，６３に順番に通していくことによって、前インナー部５１は前靴体１１に固定される。後インナー部７１の取付ベルト８９をカフ部３１の取付孔３２に通してから止め具９０で止めることによって、後インナー部７１は後靴体２１に固定される。従って、前靴体１１を使用者の足に合わせて摺動させると、前インナー部５１も前後方向に移動するが、後インナー部７１は移動することはない。
【００３６】
使用者が、足をインナーブーツ５０内に入れ、靴紐９２を締め付けると、甲部保護板５７、左側面保護板５５、右側面保護板５６が足に密着して、足を固定する。さらに、カフ部３１の締め付けベルト３８をバックル３７で挟持し、連結ベルト４３を連結リング４１に取り付けることによって、足首がカフ部３１に固定される。
【００３７】
使用者は、このようにしてスケート靴１を履いてスケート遊びをすることができる。足首を傾けると、図７に示すように、カフ部３１が回動し上部保護板７５が凹部８１，８５を中心として傾くが、下部保護板７３は上部保護板７５と分離しているため、カフ部３１の回動にあまり影響を受けることがなく、踵に窮屈感を与えることがない。スケート靴１は、カフ部３１が透過性を有する素材で形成されているため、インナーブーツ５０の表面の色、模様、柄等の装飾が外からでも視認することができ、カラフルで興趣あるものになっている。また、前靴体１１は、爪先カバー板１３、左側面板１５、右側面板１６によって囲まれる上部開口２０からでもインナーブーツ５０の表面の色、模様、柄等の装飾を直接視認することができ、一層興趣あるものとなっている。
【００３８】
【発明の効果】
以上説明してきたように、本願請求項１の発明に係るスケート靴は、インナーブーツの足の後側を保護する保護板を、踵の後側を保護する下部保護板と、アキレス腱部の後側を保護すると共にカフ部に当接する上部保護板とに分割し、上部保護板をカフ部の回動に伴って傾動できるようにし、下部保護板をカフ部の回動にあまり影響を受けないようにしたので、踵の後側が圧接されず、窮屈感を感じさせることがないという効果がある。
【００３９】
本願請求項２の発明に係るスケート靴は、上記効果に加え、インナーブーツが前インナー部と後インナー部に分割されているので、利用者の足のサイズに合わせて大きさを調節することができるという効果がある。
【００４０】
本願請求項３の発明に係るスケート靴は、上記効果に加え、左側面保護板と右側面保護板に靴紐を通す通し部が形成され、前靴体の一側にも靴紐を通す通し部が形成され、靴紐を前靴体の通し部と左側面保護板及び右側面保護板の通し部に通すことによって、前インナー部を前靴体に固定でき、さらに利用者の足の大きさに合わせてインナーブーツを隙間なく密着させて履かせることができるという効果がある。
【００４１】
本願請求項４の発明に係るスケート靴は、上記効果に加え、上部保護板に取付手段が設けられ、取付手段をカフ部に取り付けることによって、後インナー部を後靴体に固定することができるという効果がある。
【００４２】
本願請求項５の発明に係るスケート靴は、上記効果に加え、カフ部が透過性を有する素材によって形成され、インナーブーツの色彩、模様等の装飾が外から視認できるようになっているので、装飾性が高められ、興趣あるものにすることができるという効果がある。
【図面の簡単な説明】
【図１】本願発明に係るスケート靴の一つの実施の形態を示す全体側面図である。
【図２】図１のスケート靴のサイズを大きくした状態を示す全体側面図である。
【図３】図１のスケート靴の分解斜視図である。
【図４】図３におけるスケート靴のインナーブーツの分解斜視図である。
【図５】図４の側面図である。
【図６】図３におけるスケート靴のインナーブーツの断面側面図である。
【図７】図６におけるインナーブーツの使用状態を示す断面側面図である。
【符号の説明】
１　スケート靴
２　滑走部
３　ローラ
５　取付枠
６　前部取付柱
７　後部取付柱
９　固定ネジ（固定手段）
１０　靴本体
１１　前靴体
１２　前部底板
１３　爪先カバー板
１３ａ　上縁
１３ｂ　靴紐通し孔（通し部）
１３ｃ　靴紐通し孔（通し部）
１５　左側面板
１６　右側面板
１７　左アーム板
１７ａ　ガイド長孔
１８　右アーム板
１８ａ　ガイド長孔
１９　案内板
１９ａ　案内長孔
２０　上部開口
２１　後靴体
２２　後部底板
２３　後面板
２５　左壁
２６　右壁
３１　カフ部
３２　取付孔
３３　左壁
３４　左支軸
３５　右壁
３６　右支軸
３７　バックル
３８　締め付けベルト
４１　連結リング
４２　ベルト
４３　連結ベルト
５０　インナーブーツ
５１　前インナー部
５２　底部保護板
５３　爪先保護板
５５　左側面保護板
５６　右側面保護板
５７　甲部保護板
５９　補強素材
６０　通し片
６１　補強素材
６２　ループ片（通し部）
６３　ループ片（通し部）
６７　補強素材
７１　後インナー部
７２　踵部保護板
７３　下部保護板
７５　上部保護板
７５ａ　左端
７５ｂ　右端
７７　左側面保護板
７９　上部接続部
８０　下部接続部
８１　凹部
８３　右側面保護板
８４　上部接続部
８５　下部接続部
８６　凹部
８９　取付手段（取付ベルト）
９０　止め具
９１　中敷き
９２　靴紐
【図１】
2004081619.tif 000003
【図２】
2004081619.tif 000004
【図３】
2004081619.tif 000005
【図４】
2004081619.tif 000006
【図５】
2004081619.tif 000007
【図６】
2004081619.tif 000008
【図７】
2004081619.tif 000009